(57)【要約】【課題】照明装置のグループ化を容易にする。【解決手段】実施形態の照明システムは、複数の照明装置を備える。複数の照明装置は、それぞれ、通信制御部と、リスト生成部と、を具備する。通信制御部は、予め設定された開始条件を満たした場合に、無線通信による他の照明装置からの識別情報の受信と、無線通信による他の照明装置への識別情報の送信と、を繰り返す。通信制御部は、他の照明装置１０の識別情報を受信した場合には、受信した識別情報の送信を自身の識別情報の送信とともに繰り返す。リスト生成部は、通信制御部で受信した識別情報に基づいて、識別情報のリストを生成する。【選択図】図１
2018163864.tif 000002
【特許請求の範囲】
【請求項１】
複数の照明装置を備える照明システムであって、
複数の照明装置は、それぞれ、
予め設定された開始条件を満たした場合に、無線通信による他の照明装置からの識別情報の受信と、無線通信による他の照明装置への識別情報の送信と、を繰り返し、他の照明装置の識別情報を受信した場合には、受信した識別情報の送信を自身の識別情報の送信とともに繰り返す通信制御部と；
前記通信制御部で受信した識別情報に基づいて、識別情報のリストを生成するリスト生成部と；
を具備することを特徴とする照明システム。
【請求項２】
前記複数の照明装置は、それぞれ、予め設定された送信条件を満たした場合に、無線通信により前記リストを送信するリスト送信部、をさらに具備する、
ことを特徴とする請求項１に記載の照明システム。
【請求項３】
前記通信制御部は、外部電源が投入された場合に、前記識別情報の送受信を所定の設定時間の間繰り返す処理を開始する、
ことを特徴とする請求項１又は２に記載の照明システム。
【請求項４】
前記複数の照明装置は、それぞれ、電池をさらに具備し、
前記通信制御部は、外部電源からの電力供給が遮断された場合に、前記識別情報の送受信を繰り返す処理を開始する、
ことを特徴とする請求項１又は２に記載の照明システム。
【請求項５】
前記複数の照明装置は、それぞれ、電池をさらに具備し、
前記通信制御部は、外部電源が投入された後、予め設定された時間内に外部電源からの電力供給が遮断された場合に、前記識別情報の送受信を繰り返す処理を開始する、
ことを特徴とする請求項１又は２に記載の照明システム。
【請求項６】
前記通信制御部は、初期設定により前記リストを生成した後、新たにリストを生成する場合には、前記初期設定のときの前記開始条件とは異なる開始条件で前記識別情報の送受信を繰り返す処理を新たに開始する、
ことを特徴とする請求項１又は２に記載の照明システム。
【請求項７】
前記通信制御部は、
前記初期設定の際に実行する前記識別情報の送受信を繰り返す処理については、外部電源が投入された場合に開始し、
その後の前記識別情報の送受信を繰り返す処理については、ユーザから信号の入力があった後、さらに外部電源の投入があった場合に開始する、
ことを特徴とする請求項６に記載の照明システム。
【請求項８】
前記通信制御部は、前記識別情報とイベントの発生時刻とを他の照明装置に送信するとともに、他の照明装置から前記識別情報と前記イベントの発生時刻を受信し、
前記リスト生成部は、前記通信制御部で受信した前記イベントの発生時刻に基づいて、受信した複数の識別情報の中から予め設定された基準を満たす識別情報を選択し、選択した識別情報に基づいて前記リストを生成する、
ことを特徴とする請求項１乃至７のいずれか１項に記載の照明システム。
【請求項９】
前記イベントの発生時刻は、外部電源からの電力が投入された時刻、或いは外部電源からの電力供給が遮断された時刻である、
ことを特徴とする請求項８に記載の照明システム。
【請求項１０】
予め設定された開始条件を満たした場合に、無線通信による他の照明装置からの識別情報の受信と、無線通信による他の照明装置への識別情報の送信と、を設定時間、繰り返し、他の照明装置の識別情報を受信した場合には、受信した識別情報の送信を自身の識別情報の送信とともに繰り返す通信制御部と；
前記通信制御部で受信した識別情報に基づいて、識別情報のリストを生成するリスト生成部と；
を具備することを特徴とする照明装置。
【発明の詳細な説明】
【技術分野】
【０００１】
本発明の実施形態は、照明システム、及び照明装置に関する。
【背景技術】
【０００２】
従来、非常時に非常用電源を用いて点灯する非常用の照明装置や避難経路等への誘導のために点灯する誘導用の照明装置が提供されている。近年では、このような照明装置が無線通信を備えることもある。
【先行技術文献】
【特許文献】
【０００３】
【特許文献１】特開２００４−１８５９７８号公報
【発明の概要】
【発明が解決しようとする課題】
【０００４】
建物には複数の照明装置が設置される。これら複数の照明装置をある基準でグループ化して管理したい場合がある。例えば、複数の照明装置をブレーカー単位でグループ化できれば、ユーザは、どの照明装置がどのブレーカーに接続されているのかを容易に把握できるので、照明装置のメンテナンスは容易となる。複数の照明装置それぞれにディップスイッチを設け、これら照明装置を建物に設置する際に、設置者が、一個一個スイッチを設定していくことにより、照明装置のグループ化は可能である。しかし、この場合、設置者の負担は大きい。
【０００５】
本発明が解決しようとする課題は、照明装置のグループ化を容易にすることである。
【課題を解決するための手段】
【０００６】
実施形態に係る照明システムは、複数の照明装置を備える。複数の照明装置は、それぞれ、通信制御部と、リスト生成部と、を具備する。通信制御部は、予め設定された開始条件を満たした場合に、無線通信による他の照明装置からの識別情報の受信と、無線通信による他の照明装置への識別情報の送信と、を繰り返す。通信制御部は、他の照明装置の識別情報を受信した場合には、受信した識別情報の送信を自身の識別情報の送信とともに繰り返す。リスト生成部は、通信制御部で受信した識別情報に基づいて、識別情報のリストを生成する。
【発明の効果】
【０００７】
本発明によれば、照明装置のグループ化を容易にすることができる。
【図面の簡単な説明】
【０００８】
【図１】図１は、実施形態に係る照明システムの構成例を示す図である。
【図２】図２は、実施形態に係る照明装置の斜視図である。
【図３】図３は、実施形態に係る照明装置の底面図である。
【図４】図４は、図３に示す照明装置から蓋を取り除いた図である。
【図５】図５は、蓋の底面図である。
【図６】図６は、図３に示すＡ−Ａ線断面図である。
【図７】図７は、接続端子にモジュールを接続した様子を示す図である。
【図８】図８は、実施形態に係る照明装置の構成例を示す図である。
【図９】図９は、制御部の機能ブロック図である。
【図１０】図１０は、記憶部の構成例を示す図である。
【図１１】図１１は、イベント情報記憶部に記憶されるイベント情報の一例を示す図である。
【図１２】図１２は、識別情報記憶部に記憶される識別情報の一例を示す図である。
【図１３】図１３は、受信情報記憶部に記憶される受信情報の一例を示す図である。
【図１４】図１４は、リスト記憶部に記憶されるリストの一例を示す図である。
【図１５】図１５は、実施形態に係るモジュールの構成例を示す図である。
【図１６】図１６は、リスト生成処理のフローチャートである。
【図１７】図１７は、送受信処理のフローチャートである。
【図１８】図１８は、リスト送信処理のフローチャートである。
【発明を実施するための形態】
【０００９】
以下で説明する実施形態に係る照明システム１は、複数の照明装置１０を備える。複数の照明装置１０は、それぞれ、通信制御部１５２ａと、リスト生成部１５２ｂと、を具備する。通信制御部１５２ａは、予め設定された開始条件を満たした場合に、無線通信による他の照明装置１０からの識別情報の受信と、無線通信による他の照明装置１０への識別情報の送信と、を繰り返す。通信制御部１５２ａは、他の照明装置１０の識別情報を受信した場合には、受信した識別情報の送信を自身の識別情報の送信とともに繰り返す。リスト生成部１５２ｂは、通信制御部１５２ａで受信した識別情報に基づいて、識別情報のリストを生成する。
【００１０】
また、以下で説明する実施形態に係る複数の照明装置１０は、それぞれ、予め設定された送信条件を満たした場合に、無線通信によりリストを送信するリスト送信部１５２ｃ、をさらに具備する。
【００１１】
また、以下で説明する実施形態に係る通信制御部１５２ａは、外部電源２が投入された場合に、識別情報の送受信を所定の設定時間の間繰り返す処理を開始する。
【００１２】
また、以下で説明する実施形態に係る複数の照明装置１０は、それぞれ、電池１４をさらに具備する。実施形態に係る通信制御部１５２ａは、外部電源２からの電力供給が遮断された場合に、識別情報の送受信を繰り返す処理を開始する。
【００１３】
また、以下で説明する実施形態に係る複数の照明装置１０は、それぞれ、電池１４をさらに具備する。実施形態に係る通信制御部１５２ａは、外部電源２が投入された後、予め設定された時間内に外部電源２からの電力供給が遮断された場合に、識別情報の送受信を繰り返す処理を開始する。
【００１４】
また、以下で説明する実施形態に係る通信制御部１５２ａは、初期設定によりリストを生成した後、新たにリストを生成する場合には、初期設定のときの開始条件とは異なる開始条件で識別情報の送受信を繰り返す処理を新たに開始する。
【００１５】
また、以下で説明する実施形態に係る通信制御部１５２ａは、初期設定の際に実行する識別情報の送受信を繰り返す処理については、外部電源２が投入された場合に開始し、その後の識別情報の送受信を繰り返す処理については、ユーザから信号の入力があった後、さらに外部電源２の投入があった場合に開始する。
【００１６】
また、以下で説明する実施形態に係る通信制御部１５２ａは、識別情報とイベントの発生時刻とを他の照明装置１０に送信するとともに、他の照明装置１０から識別情報とイベントの発生時刻を受信する。実施形態に係るリスト生成部１５２ｂは、通信制御部１５２ａで受信したイベントの発生時刻に基づいて、受信した複数の識別情報の中から予め設定された基準を満たす識別情報を選択し、選択した識別情報に基づいてリストを生成する。
【００１７】
また、以下で説明する実施形態に係るイベントの発生時刻は、外部電源２からの電力が投入された時刻、或いは外部電源２からの電力供給が遮断された時刻である。
【００１８】
また、以下で説明する実施形態に係る照明装置１０は、通信制御部１５２ａと、リスト生成部１５２ｂと、を具備する。通信制御部１５２ａは、予め設定された開始条件を満たした場合に、無線通信による他の照明装置１０からの識別情報の受信と、無線通信による他の照明装置１０への識別情報の送信と、を設定時間、繰り返す。通信制御部１５２ａは、他の照明装置１０の識別情報を受信した場合には、受信した識別情報とともに自身の識別情報を繰り返し送信する。リスト生成部１５２ｂは、通信制御部１５２ａで受信した識別情報に基づいて、識別情報のリストを生成する。
【００１９】
以下、図面を参照して、実施形態に係る照明装置を説明する。実施形態において同一の部位には同一の符号を付し、重複する説明は省略される。
【００２０】
［実施形態］
［照明システムの構成］
図１は、実施形態に係る照明システム１の構成例を示す図である。照明システム１は、構造物（Structure）の内或いは外に配置される。構造物は、高層ビル、中層ビル、家屋、鉄塔、駅施設、空港施設、港湾施設、スタジアム、灯台等の建物であってもよいし、橋梁、塀、鉄柱等の構築物（Non-building structure）であってもよい。また、構造物は、クレーン、門、風車等の設備であってもよい。また、照明システム１は、自動車、航空機、船舶等の移動体に配置されていてもよい。
【００２１】
照明システム１は、複数の照明装置（照明装置１０１１〜１０１Ｎ、１０２１〜１０２Ｎ、・・・、１０Ｍ１〜１０ＭＮ）と、配電盤３０と、を備える。なお、符号に付されたＭとＮは任意の整数である。１０１Ｎ、１０２Ｎ、・・・、１０ＭＮに付されたＮは、それぞれ異なる値であってもよい。以下の説明では、照明装置１０１１〜１０ＭＮのいずれか１つを示す場合に、下付きの符号を付けずに、単に、照明装置１０と呼ぶことがある。
【００２２】
配電盤３０は、外部電源２から供給される電力を複数の装置（例えば、照明装置１０）に分配する装置である。外部電源２は、例えば、商用の系統電源である。外部電源２は、構造物内或いは敷地内に配置された発電機或いは変圧器であってもよい。配電盤３０は、外部電源２に接続された主幹ブレーカー３１と、主幹ブレーカー３１から分岐する分岐ブレーカー３２１、３２２、・・・、３２Ｍと、を備える。Ｍは任意の整数である。なお、以下の説明では、主幹ブレーカー３１、及び分岐ブレーカー３２１〜３２Ｍのことを総称してブレーカーと呼ぶ場合がある。
【００２３】
分岐ブレーカー３２１〜３２Ｍには、それぞれ、１又は複数の照明装置１０が接続されている。分岐ブレーカー３２１には、照明装置１０１１〜１０１Ｎが接続されており、分岐ブレーカー３２２には、照明装置１０２１〜１０２Ｎが接続されている。また、分岐ブレーカー３２Ｍには、照明装置１０Ｍ１〜１０ＭＮが接続されている。主幹ブレーカー３１及び分岐ブレーカー３２１、３２２、・・・、３２Ｍは、過負荷、短絡、漏電等により電流路に過電流が流れた際に、一次側（外部電源２側）と二次側（照明装置１０側）とを遮断する。
【００２４】
主幹ブレーカー３１及び分岐ブレーカー３２１、３２２、・・・、３２Ｍには、電流路を開放（遮断）するためのスイッチが設けられている。ユーザが手動でスイッチをＯＦＦすると、外部電源２側から照明装置１０側への電流路が遮断される。一方、ユーザが手動でスイッチをＯＮすると、外部電源２側から照明装置１０側への電流路が形成される。
【００２５】
［照明装置の構造］
次に照明装置１０の構造を説明する。照明システム１が備える複数の照明装置１０は略同じ構成である。図２は、照明装置１０の斜視図である。照明装置１０は、非常用の照明装置である。非常用の照明装置（非常灯）は、外部電源２からの電力供給が停止した場合に点灯する照明装置である。
【００２６】
照明装置１０は、壁或いは天井に埋め込まれる埋め込み式の照明装置である。本実施形態の照明装置１０は、天井板に開けられた穴に埋め込まれて使用される。照明装置１０は、取付けばね１７１、１７２を有しており、これらばねの押圧力により天井に固定される。なお、図示した照明装置１０はあくまで一例である。照明装置１０は必ずしも埋め込み式の照明装置でなくてもよい。例えば、照明装置１０は吊り下げ式の照明装置であってもよい。
【００２７】
図３は、実施形態に係る照明装置１０の底面図である。なお、以下の説明には、Ｘ軸、Ｙ軸、及びＺ軸から構成される直交座標系を用いる。図中、矢印の指し示す方向がプラス方向である。本実施形態の場合、Ｘ軸、Ｙ軸は水平方向に軸方向を有しており、Ｚ軸は鉛直線の方向に軸方向を有している。Ｘ軸の軸方向は、図３に示すＡ−Ａ線と平行な方向となっている。なお、以下の説明で示されるＸ軸方向、Ｙ軸方向、及びＺ軸方向は、照明装置１０の発光方向が下方向であることを前提としたものである。照明装置１０の設置形態にあわせ、Ｘ軸方向、Ｙ軸方向、及びＺ軸方向は適宜読み替える。例えば、発光方向が水平方向なのであれば、Ｚ軸方向も水平方向である。
【００２８】
照明装置１０は、図３に示すように、接続部１１と、光源１３と、を備える。図４は、図３に示す照明装置１０から蓋１６を取り除いた図である。照明装置１０は、上記構成に加えて、筐体１２と、電池１４と、点灯ユニット１５と、を備える。照明装置１０は、モジュール２０が後付可能となっている。モジュール２０も照明装置１０の一部とみなすことが可能である。勿論、照明装置１０のモジュール２０を除いた部分を照明装置１０とみなしてもよい。
【００２９】
接続部１１は、照明装置１０を動作させる各種ケーブルを接続用の端子が配置された端子台である。接続部１１は、筐体１２からＺ軸方向と垂直な方向（本実施形態の場合、水平方向）に突出した状態となっている。
【００３０】
筐体１２は、一方の底面が開口した有底の筒状体である。図の例では、筐体１２の形状は円筒形となっているが、筐体１２の形状は円筒形に限定されない。例えば、筐体１２の形状は、角筒形であってもよいし、半球形であってもよい。筐体１２は、硬質素材で形成されている。例えば、筐体１２は、鉄、アルミ等の金属、若しくは、硬質塩化ビニル等の硬質樹脂で形成されている。筐体１２は、照明装置１０の設置時に天井に埋め込まれてユーザから見えなくなる部分である。筐体１２の開口部分の周縁にはフランジが設けられている。照明装置１０の設置時、このフランジが、天井板（天井板に開けられた穴の外周部分）に引っかかり、照明装置１０が天井裏に完全に埋没してしまうのを防止する。筐体１２は、光源１３が光を発する方向（以下、発光方向という。）に向けて開口している。本実施形態の照明装置１０は天井から下方向に向けて光を発するので、発光方向は下方向（Ｚ軸マイナス方向）である。筐体１２の開口は、蓋１６で覆われている。
【００３１】
図５は、蓋１６の底面図である。蓋１６は、板状の化粧枠である。蓋１６は、照明装置１０の設置時に天井から露出する部分である。蓋１６は、筐体１２を覆い隠すように、筐体１２の底部より一回り大きい。なお、図５の例では、蓋１６の形状は円盤形となっているが、蓋１６の形状は円盤形に限定されない。例えば、蓋１６の形状は、楕円形であってもよいし、多角形（例えば、三角形、四角形、六角形）であってもよい。蓋１６は、硬質素材で形成されている。例えば、蓋１６は、鉄、アルミ等の金属、若しくは、硬質塩化ビニル等の硬質樹脂で形成されている。
【００３２】
蓋１６には、貫通孔１６１〜１６３の３つの貫通孔が形成されている。貫通孔１６１は、光源１３用の窓である。貫通孔１６１は、蓋１６の中央に設けられている。貫通孔１６２は、モジュール２０挿入用の窓である。貫通孔１６２は、蓋１６を筐体１２に設置したときに、後述の接続端子１５６と対向する位置に設けられている。また、貫通孔１６３は、ユーザが照明装置１０の操作に使用する窓である。貫通孔１６３は、蓋１６を筐体１２に設置したときに、後述の操作部１５４及び後述の出力部１５５（ランプ１５５ａ、１５５ｂ）と対向する位置に設けられている。なお、貫通孔１６２については、後に詳述する。
【００３３】
図６は、図３に示すＡ−Ａ線断面図である。図６に示す照明装置１０は、モジュール２０が取り外された状態となっている。また、図５では、取付けばね１７２の図示は省略している。筐体１２の内部には、電池１４と点灯ユニット１５が格納されている。電池１４と点灯ユニット１５は、照明装置１０を構成する部品（ＡＳＳＹ）である。点灯ユニット１５の発光方向側（Ｚ軸マイナス方向側）の面には、光源１３が配置されている。図６の例では、光源１３は、筐体１２の開口の略中央に配置された反射板１３１の中央に位置している。光源１３は、例えば、ＬＥＤ（Light  Emitting  Diode）である。
【００３４】
蓋１６には、光源１３の位置に合わせて円形の貫通孔１６１が形成されている。本実施形態の場合、光源１３は、貫通孔１６１から下方向に向けて光を発する。光源１３の照射角Ｒ１は例えば６０度である。照射角Ｒ１は、ビーム角（例えば、１/２ビーム角）であってもよいし、配光角（例えば、１/２配光角）であってもよい。もちろん、光源１３の照射角Ｒ１は６０度に限定されない。光源１３の照射角Ｒ１は、例えば、１０〜１８０度の範囲の角度であってもよい。
【００３５】
電池１４は、リチウムイオン電池等の二次電池である。本実施形態の電池１４は、筐体１２の内部に着脱可能な電池モジュールである。電池１４は、図４に示すように、筐体１２の内部を発光方向と垂直な方向（本実施形態の場合、水平方向）に略２分割した一方の領域に配置されている。なお、空間を水平方向に２分割とは、空間を水平方向に２つ並んだ状態とすることをいう。ユーザは、筐体１２から点灯ユニット１５を取り外すことなく、筐体１２の開口から電池１４を抜き差しすることが可能である。
【００３６】
点灯ユニット１５は、光源１３の点灯動作及び電池１４への充放電動作を行う電源装置である。点灯ユニット１５は、外部電源２及び電池１４に接続され、光源１３の点灯動作及び電池１４に対する充放電動作を行う。電池１４は、点灯ユニット１５によって充電される。点灯ユニット１５は、図４に示すように、筐体１２の内部を発光方向と垂直な方向（本実施形態の場合、水平方向）に略２分割した一方の領域（電池１４が配置された領域の他方の領域）に配置されている。点灯ユニット１５の発光方向側（本実施形態の場合、Ｚ軸マイナス方向側）の面には、図４に示すように、操作部１５４と、出力部１５５と、接続端子１５６と、が配置されている。
【００３７】
操作部１５４は、ユーザが照明装置１０を操作するためのスイッチである。操作部１５４は、ボタンスイッチであってもよいし、ロッカースイッチであってもよいし、トグルスイッチであってもよい。スイッチの種類は任意である。前述したように、蓋１６の操作部１５４に対向する位置には、貫通孔１６１が形成されている。そのため、ユーザは、照明装置１０から蓋１６を取り外すことなく、操作部１５４にアクセス可能である。
【００３８】
出力部１５５は、ユーザが照明装置１０の状態をモニタするための出力装置である。出力部１５５は、ランプ１５５ａと、ランプ１５５ｂと、を備える。ランプ１５５ａ、１５５ｂは、例えば、ＬＥＤランプである。前述したように、蓋１６のランプ１５５ａ、１５５ｂに対向する位置には、貫通孔１６３が形成されている。ユーザは貫通孔１６３を通してランプ１５５ａ、１５５ｂの発光状態を観察可能である。
【００３９】
接続端子１５６は、モジュール２０を照明装置１０に接続するための外部機器接続用のコネクタである。接続端子１５６は、点灯ユニット１５の蓋１６と対向する側（発光方向側）の面に配置されている。接続端子１５６は、例えば、ＵＳＢ（Universal  Serial  Bus）端子である。接続端子１５６の発光方向側の端面は、蓋１６の内側（Ｚ軸プラス方向側）、或いは、蓋１６の発光方向側の面の延長上に位置している。そのため、接続端子１５６は、照明装置１０をＸ軸、Ｙ軸方向（本実施形態の場合、水平方向）から見て、蓋１６から突出しておらず、照明装置１０の内部に隠れた状態となっている。
【００４０】
蓋１６の接続端子１５６に対向する位置には、図５に示すように、貫通孔１６２が形成されている。貫通孔１６２により、モジュール２０は蓋１６の外から接続端子１５６に挿入可能である。貫通孔１６２の形状は、円形、楕円形、或いは、多角形（例えば、四角形）である。勿論、貫通孔１６２の形状は、これら以外の形状であってもよい。本実施形態の場合、貫通孔１６２は四角形となっている。
【００４１】
貫通孔１６２は、照明装置１０を発光方向（Ｚ軸マイナス方向）から見たときに、接続端子１５６が収まる位置と大きさとなっている。照明装置１０を発光方向側から見たときの貫通孔１６２の図面縦方向の幅ｗ３は、接続端子１５６の縦方向の幅ｗ１より大きい。また、貫通孔１６２の図面横方向の幅ｗ４は、接続端子１５６の横方向の幅ｗ２より大きい。ユーザがモジュール２０を無理なく挿抜できるように、接続端子１５６の外縁と貫通孔１６２の縁の間には、発光方向から見て、予め設定された大きさの隙間ｍ１〜ｍ４が形成されている。隙間ｍ１、ｍ２は、接続端子１５６の図面上下に形成された隙間であり、隙間ｍ３、ｍ４は、接続端子１５６の図面左右に形成された隙間である。隙間ｍ１〜ｍ４は、それぞれ、１ｍｍ〜１０ｍｍの範囲の幅である。勿論、隙間ｍ１〜ｍ４は、この幅より大きくてもよいし、小さくてもよい。
【００４２】
モジュール２０は、無線ＬＡＮ（Local Area Network）、Ｂｌｕｅｔｏｏｔｈ（登録商標）等の無線通信規格に従って外部の装置と通信する通信モジュールである。モジュール２０は、ドングルと呼ばれる小型モジュールであってもよい。モジュール２０は、接続端子１５６に接続されて使用される。図７は、接続端子１５６にモジュール２０を接続した様子を示す図である。モジュール２０は、蓋１６の外側（発光方向側）から貫通孔１６２を通って接続端子１５６に挿入される。モジュール２０の形状は略長方形である。モジュール２０の挿入方向（Ｚ軸方向）の長さＬは、照明装置１０の製造者或いは規格等により予め定められた長さとなっている。例えば、長さＬは、１ｃｍ〜１０ｃｍである。モジュール２０は、接続端子１５６に接続されたときに、その一部が蓋１６の外側（Ｚ軸マイナス方向側）に突出した状態となる。一部が突出しているので、ユーザは、モジュール２０を接続端子１５６から抜く際に、モジュール２０を容易に掴むことができる。
【００４３】
接続端子１５６は、光源１３から離間ｄほど離間した位置に配置されている。距離ｄは、モジュール２０の長さＬが、製造者或いは規格等によって許容される最大の長さのときに、モジュール２０の突出部分が光源１３の照射角Ｒ１の外側Ｒ２に位置するよう、定められる。これにより、モジュール２０が照射角Ｒ１の範囲内に入ることがなくなるので、モジュール２０によって、光源１３の光が大きく遮られることはない。照明装置１０は、モジュール２０が装着されたとしても、照射面にモジュール２０の影が大きく生じるのを防ぐことができる。
【００４４】
［照明装置の構成］
次に、ブロック図を参照しながら照明装置１０の構成を説明する。図８は、実施形態に係る照明装置１０の構成例を示す図である。照明装置１０は、外部電源２からの電力供給を受けて動作する。上述したように、照明装置１０は、接続部１１と、光源１３と、電池１４と、点灯ユニット１５と、モジュール２０と、を備える。
【００４５】
接続部１１は、各種ケーブルを接続するための端子が配置された端子台である。接続部１１には、電源ケーブルを接続するための電源端子が配置されている。接続部１１は、照明装置１０の内部の回路と接続されている。接続部１１は、電源ケーブルを介して外部電源２から電力を受給し、照明装置１０の点灯ユニット１５に供給する。
【００４６】
光源１３は、非常用或いは誘導用の光源である。光源１３は、例えば、ＬＥＤ（Light  Emitting  Diode）である。光源１３は、発熱電球、蛍光灯、ハロゲンランプ等、ＬＥＤ以外の光源であってもよい。
【００４７】
電池１４は、鉛蓄電池、ニッケルカドミウム蓄電池、ニッケル水素電池、リチウムイオン電池等の二次電池である。外部電源２からの電力供給が停止した場合（すなわち、非常時）には、電池１４は、点灯ユニット１５に対して電力供給を行う。また、外部電源２からの電力供給がある場合（すなわち、通常時）には、電池１４は、点灯ユニット１５によって充電される。
【００４８】
点灯ユニット１５は、光源１３の点灯動作及び電池１４への充放電動作を行う電源装置である。点灯ユニット１５は、電源回路１５１と、制御部１５２と、記憶部１５３と、操作部１５４と、出力部１５５と、接続端子１５６と、を備える。
【００４９】
電源回路１５１は、切替回路、ＡＣ−ＤＣコンバータ等により構成される。切替回路は、光源１３へ供給される電力の電力源を外部電源２と電池１４のいずれかに切り替える。ＡＣ−ＤＣコンバータは、外部電源２から供給される交流電力を直流電力に変換する。外部電源２が直流電源なのであれば、電源回路１５１は、ＡＣ−ＤＣコンバータの替りにＤＣ−ＤＣコンバータを有していてもよい。電源回路１５１は、制御部１５２の制御に基づき動作する。電源回路１５１は、内部にセンサ１５１ａを有している。センサ１５１ａは、電池１４の蓄電状態を検知するセンサである。或いは、センサ１５１ａは、光源１３に流れた電流量を検知するセンサである。センサ１５１ａは、電圧計であってもよいし、電流計であってもよい。センサ１５１ａは、電池１４の蓄電状態、或いは、光源１３の発光状態を検知して制御部１５２に通知する。
【００５０】
制御部１５２は、照明装置１０の各部を制御するコントローラである。制御部１５２は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。制御部１５２は、１つの素子で構成されていてもよいし、複数の素子で構成されていてもよい。例えば、制御部１５２は、１つのプロセッサで構成されていてもよいし、複数のプロセッサで構成されていてもよい。制御部１５２が複数の素子で構成される場合、これら複数の素子は、照明装置１０内の離れた場所に配置されていてもよい。例えば、複数の素子が別々の基板に実装されていてもよい。
【００５１】
制御部１５２は、制御部１５２内もしくは制御部１５２外のＲＯＭ（Read  Only  Memory）或いはＲＡＭ（Random  Access  Memory）に格納されているプログラムに従って動作することで、後述の「リスト生成処理」「送受信処理」「リスト送信処理」を含む種々の動作を実現する。なお、プログラムという概念には、ＯＳ（Operating  System）やアプリケーションプログラムのみならず、マイクロプログラムも含まれる。
【００５２】
図９は、制御部１５２の機能ブロック図である。制御部１５２は、通信制御部１５２ａと、リスト生成部１５２ｂと、リスト送信部１５２ｃと、を備える。通信制御部１５２ａと、リスト生成部１５２ｂと、リスト送信部１５２ｃは、それぞれ、制御部１５２の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。
【００５３】
通信制御部１５２ａは、予め設定された開始条件を満たした場合に、無線通信による他の照明装置１０からの識別情報の受信と、無線通信による他の照明装置１０への識別情報の送信と、を設定時間、繰り返す。このとき、通信制御部１５２ａは、他の照明装置１０の識別情報を受信した場合には、受信した識別情報の送信を自身の識別情報の送信とともに繰り返す。通信制御部１５２ａの動作は、後述の「リスト生成処理」「送受信処理」の説明の箇所で詳しく述べる。
【００５４】
リスト生成部１５２ｂは、通信制御部１５２ａで受信した識別情報に基づいて、識別情報のリストを生成する。リスト生成部１５２ｂの動作は、後述の「リスト生成処理」の説明の箇所で詳しく述べる。
【００５５】
リスト送信部１５２ｃは、ユーザが操作する端末にリスト生成部１５２ｂで生成したリストを送信する。リスト送信部１５２ｃの動作は、後述の「リスト送信処理」の説明の箇所で詳しく述べる。
【００５６】
記憶部１５３は、ＤＲＡＭ（Dynamic  Random  Access  Memory）、ＳＲＡＭ（Static  Random  Access  Memory）、フラッシュメモリ等の記憶装置である。図１０は、記憶部１５３の構成例を示す図である。記憶部１５３は、イベント情報記憶部１５３ａと、識別情報記憶部１５３ｂと、受信情報記憶部１５３ｃと、リスト記憶部１５３ｄと、を有している。
【００５７】
イベント情報記憶部１５３ａは、照明装置１０に発生したイベントの発生時刻を記録する記録領域である。例えば、イベントの発生時刻は、外部電源２からの電力供給が遮断された時刻、或いは、照明装置１０の電源が外部電源２から電池１４に切り替わった時刻である。又は、イベントの発生時刻は、電池１４の蓄電量が一定量を下回った時刻である。イベントの発生時刻は、照明装置１０に外部電源２が投入された時刻であってもよい。
【００５８】
図１１は、イベント情報記憶部１５３ａに記憶されるイベント情報の一例を示す図である。イベント情報は、イベントの発生時刻と、その時刻に発生したイベントのイベント種別と、を関連付けた情報である。イベント情報記憶部１５３ａには、イベント情報が複数記録される。イベントの発生時刻は、例えば、１２時３４分５６秒といった時間情報である。イベントの発生時刻には、時、分、秒の情報のみならず、年、月、日の情報が含まれていてもよい。イベント種別は、照明装置１０に発生したイベントの種類を示す情報である。例えば、イベント種別の“００１”は、例えば、照明装置１０に外部電源２が投入されたことを示す。イベント種別の“００２”は、例えば、照明装置１０の電源が外部電源２から電池１４に切り替わったことを示す。
【００５９】
識別情報記憶部１５３ｂは、照明装置１０を識別するための識別情報を記録する記録領域である。識別情報は、識別ＩＤ、識別番号、識別記号、固有情報、固有ＩＤ、製品番号、製造番号等と言い換えることができる。以下の説明では、識別情報のことを識別ＩＤと呼ぶことがある。図１２は、識別情報記憶部１５３ｂに記憶される識別情報の一例を示す図である。識別情報は、例えば、種類と、メーカーと、固有ＩＤと、から構成される。「種類」は、非常灯、誘導灯、室内灯等の製品の種類を示す情報である。「種類」は、製品の型番であってもよい。「メーカー」は、その製品を製造したメーカーを示す情報である。「固有ＩＤ」は、製品１つ１つに付された一意のＩＤである。なお、識別情報の構成は図１２に示した構成に限られない。例えば、識別情報に、種類、メーカーの情報は含まれていなくてもよい。
【００６０】
受信情報記憶部１５３ｃは、他の照明装置１０から受信した情報（以下、受信情報という。）を記録するための記録領域である。図１３は、受信情報記憶部１５３ｃに記憶される受信情報の一例を示す図である。受信情報は、他の照明装置１０の識別情報と、他の照明装置１０で発生したイベントのイベント情報と、を関連付けた情報である。受信情報記憶部１５３ｃには、受信情報が複数記録される。なお、受信情報に含まれる「イベント情報」の構成は、図１１に示したイベント情報と同じ構成であってもよい。受信情報に含まれる「識別情報」の構成は、図１２に示した識別情報と同じ構成であってもよい。勿論、受信情報の構成は図１３に示した構成に限定されない。例えば、受信情報には、イベント情報が含まれていなくてもよい。
【００６１】
リスト記憶部１５３ｄは、リスト生成部１５２ｂが生成したリストを記録する領域である。リスト記憶部１５３ｄに記録されるリストは、識別情報のリストである。より具体的には、リストは、自身（照明装置１０）と同一のグループに属する照明装置１０の識別情報のリストである。例えば、リストは、同一の分岐ブレーカーに接続された複数の照明装置１０のリストである。図１４は、リスト記憶部１５３ｄに記憶されるリストの一例を示す図である。リストには、例えば、自身と同一のグループに属する照明装置１０の識別情報が複数記録される。リストに含まれる識別情報の構成は、図１２に示した識別情報と同じ構成であってもよい。
【００６２】
図８に戻り、操作部１５４は、ユーザが照明装置１０を操作するためのスイッチである。例えば、操作部１５４は、ユーザが照明装置１０を点検する際に使用する点検スイッチである。ユーザが操作部１５４を操作すると（例えば、スイッチをＯＮにすると）、制御部１５２は照明装置１０の点検動作を行う。点検動作は、照明装置１０が非常時にも正常に動作するか否かを試験する動作である。より具体的には、点検動作は、外部電源２からの電力供給が遮断された場合にも、照明装置１０が法律等で定められた規定の時間（例えば、３０分間）、既定の照度で点灯し続けることができるか否かを試験する動作である。制御部１５２は、操作部１５４が操作されると、光源１３の電源を外部電源２から電池１４に切り替えるとともに、電池１４の蓄電量或いは光源１３に供給される電流量を、内部のセンサ等を使ってモニタする。制御部１５２は、点検結果（試験結果）を、出力部１５５に出力する。
【００６３】
出力部１５５は、ＬＥＤランプ等の発光装置、或いは、スピーカー、ブザー等の音響発生装置である。出力部１５５は、ランプ１５５ａと、ランプ１５５ｂと、を備える。ランプ１５５ａは、電池１４の状態をモニタするための充電モニタ用のランプである。ランプ１５５ｂは、光源１３の状態をモニタするためのランプモニタ用のランプである。点灯ユニット１５の制御部１５２は、電池１４の充電量等に応じてランプ１５５ａを点灯、消灯、或いは点滅させる。また、制御部１５２は、光源１３の接続状態（例えば、ＬＥＤが断線等により通電できない状態なっていないか否か）に応じてランプ１５５ｂを点灯、消灯、或いは点滅させる。なお、ランプ１５５ａ、１５５ｂは、照明装置１０が点検動作中には、照明装置１０の現在の動作状態、或いは点検動作の結果等を出力するためのランプとしても機能する。
【００６４】
接続端子１５６は、外部機器接続用のコネクタである。接続端子１５６は、例えば、ＵＳＢ端子、ＩＥＥＥ（The  Institute  of  Electrical  and  Electronic  Engineers）１３９４端子、或いはＬｉｇｈｔｎｉｎｇ（登録商標）端子である。勿論、接続端子１５６は、これら以外のコネクタであってもよい。例えば、接続端子１５６は、照明装置１０の製造者が独自に定めた独自規格のコネクタであってもよいし、上記以外の規格のコネクタであってもよい。接続端子１５６は、点灯ユニット１５の制御部１５２と直接的或いは間接的に接続されている。接続端子１５６にモジュール２０が接続された場合には、接続端子１５６は、モジュール２０と制御部１５２とを通信可能な状態とする。なお、接続端子１５６は、外部電源２或いは電池１４からの電力をモジュール２０に供給できるよう構成されていてもよい。
【００６５】
モジュール２０は、外部の装置と無線通信する通信モジュールである。モジュール２０は、照明装置１０に無線通信機能を提供する。なお、モジュール２０は、赤外センサ（人感センサ）等のセンサを備えていてもよい。この場合には、モジュール２０は、センサモジュールと言い換えることができる。図１５は、実施形態に係るモジュール２０の構成例を示す図である。モジュール２０は、通信部２１と、センサ２２と、制御部２３と、記憶部２４と、接続端子２５と、を備える。
【００６６】
通信部２１は、外部の装置と無線通信する無線通信インタフェースである。通信部２１は、無線ＬＡＮ（ＩＥＥＥ８０２.１１）、Ｂｌｕｅｔｏｏｔｈ（登録商標）、ＺｉｇＢｅｅ（登録商標）等の無線通信規格に従って外部の装置と通信する。
【００６７】
センサ２２は、赤外センサ（人感センサ）、温度センサ、照度センサ等のセンサである。センサ２２は、煙を検知する煙センサであってもよいし、ガス漏れを検知するガスセンサであってもよい。センサ２２は、照明装置１０の周囲の状態を検知し、制御部２３に通知する。
【００６８】
制御部２３は、モジュール２０の各部を制御するコントローラである。制御部２３は、ＣＰＵ、ＭＰＵ等のプロセッサであってもよいし、ＦＰＧＡ、ＡＳＩＣ等の集積回路であってもよい。制御部２３は、記憶部２４に格納されているプログラムに従って動作することで、各種処理を実現する。例えば、制御部２３は、接続端子２５及び接続端子１５６を介して照明装置１０の制御部１５２と通信する。なお、制御部２３は、照明装置１０の制御部１５２を介して、照明装置１０の各部を制御するよう構成されていてもよい。
【００６９】
記憶部２４は、ＤＲＡＭ、ＳＲＡＭ、フラッシュメモリ等の記憶装置である。記憶部２４には、制御部２３を動作させるプログラム等が格納されている。
【００７０】
接続端子２５は、照明装置１０の接続端子１５６に接続されるコネクタである。接続端子１５６がＵＳＢ端子なのであれば、接続端子２５もＵＳＢ端子である。接続端子２５が接続端子１５６に接続されることにより、照明装置１０の制御部１５２は、モジュール２０の制御部２３と通信可能となる。照明装置１０の制御部１５２は、モジュール２０を介して外部の装置と通信する。例えば、制御部１５２は、モジュール２０を介して、試験のログを利用者が使用する端末装置へと送信する。
【００７１】
なお、照明装置１０の制御部１５２は、制御部２３から受け取ったセンサ２２の検知結果に基づいて、照明装置１０の各部を制御してもよい。例えば、センサ２２が人感センサであるとすれば、制御部１５２は、制御部２３から受け取った人の有無の検知結果に基づいて、光源１３の明るさを制御してもよい。制御部１５２を介して、制御部２３自身が光源１３の明るさを制御することも可能である。
【００７２】
［照明装置の動作］
次に、照明装置１０の動作を説明する。照明装置１０の動作は、リスト生成処理と、リスト送信処理とに分けられる。照明装置１０はマルチタスクＯＳを備え、これらの処理を並行して実行可能である。
【００７３】
最初に、リスト生成処理について説明する。図１６は、リスト生成処理のフローチャートである。リスト生成処理は、自身（照明装置１０）と同一グループに属する複数の照明装置１０の識別情報をリストする処理である。なお、“リスト”は“設定”と言い換えることができる。このとき、リスト生成処理は、照明装置１０をグループ設定する処理である。
【００７４】
以下の説明では、一例として、同一の分岐ブレーカーに接続された複数の照明装置１０が同一のグループとして設定されるものとする。なお、グループ化の単位は分岐ブレーカー単位ではなく、配電盤単位（主幹ブレーカー単位）であってもよい。主幹ブレーカー３１は常時ＯＮとなっており、ユーザは、分岐ブレーカー３２１〜３２Ｍのうち、グループ化したい照明装置１０が接続された分岐ブレーカーをＯＦＦからＯＮにする。
【００７５】
照明装置１０に電源が投入されると、照明装置１０の制御部１５２はリスト生成処理を開始する。なお、ここでいう“電源の投入”は、ブレーカーのＯＮによる外部電源２の投入であってもよいし、照明装置１０への電池１４のセットであってもよい。以下、図１６を参照しながらリスト生成処理を説明する。
【００７６】
制御部１５２の通信制御部１５２ａは、送受信処理の開始条件を満たしているか否か判別する（ステップＳ１１）。送受信処理は、通信制御部１５２ａが、無線通信による他の照明装置１０からの識別情報の受信と、無線通信による他の照明装置１０への識別情報の送信と、を予め設定された時間（以下、設定時間という。）繰り返す処理である。送受信処理の開始条件は、装置設計者等により定められる。開始条件は、例えば、照明装置１０への外部電源２の投入であってもよい。送受信処理の開始条件は、照明システム１が備える他の照明装置１０も同じ条件となっている。
【００７７】
開始条件が満たされていない場合（ステップＳ１１：Ｎｏ）、通信制御部１５２ａは、開始条件が満たされるまでステップＳ１１を繰り返す。開始条件が満たされている場合（ステップＳ１１：Ｙｅｓ）、通信制御部１５２ａは、送受信処理を開始する（ステップＳ１２）。図１７は、送受信処理のフローチャートである。以下、図１７を参照しながら送受信処理を説明する。
【００７８】
通信制御部１５２ａは、識別情報記憶部１５３ｂに保存されている自身の識別情報（識別ＩＤ）を、無線通信を使って他の照明装置１０に送信する（ステップＳ１２１）。例えば、通信制御部１５２ａは、モジュール２０の通信部２１を介して、無線の通信可能範囲にある全ての照明装置１０に対して自身の識別情報を送信する。ここで使用する無線通信は、モジュール２０を使った無線通信であってもよい。通信制御部１５２ａは、自身の識別情報とともに、イベント情報記憶部１５３ａに保存されているイベント情報を送信してもよい。ここで送信するイベント情報は、照明装置１０が記録した直近のイベント情報であってもよい。
【００７９】
なお、照明装置１０への外部電源２の投入が送受信処理の開始条件となっている場合、ユーザが分岐ブレーカー３２１〜３２Ｍの１つをＯＦＦからＯＮにしたタイミングで、ＯＮされた分岐ブレーカーに接続された複数の照明装置１０が一斉に送受信処理を開始することになる。この結果、照明装置１０は、同一の分岐ブレーカーに接続された他の照明装置１０から識別情報を受信することになる。他の照明装置１０が識別情報とともにイベント情報を送信するよう構成されているのであれば、照明装置１０は識別情報とともにイベント情報も受信することになる。
【００８０】
通信制御部１５２ａは、他の照明装置１０から識別情報（識別ＩＤ）を受信したか判別する（ステップＳ１２２）。識別情報を受信していない場合（ステップＳ１２２：Ｎｏ）、通信制御部１５２ａは、ステップＳ１２４に処理を進める。
【００８１】
識別情報を受信している場合（ステップＳ１２２：Ｙｅｓ）、通信制御部１５２ａは、受信した他の照明装置１０の識別情報（識別ＩＤ）を受信情報記憶部１５３ｃに保存する（ステップＳ１２３）。複数の照明装置１０から識別情報を受信したのであれば、通信制御部１５２ａは、それら複数の識別情報を受信情報記憶部１５３ｃに記憶する。識別情報に加えてイベント情報を受信したのであれば、通信制御部１５２ａは、受信したイベント情報を識別情報に関連付けて受信情報記憶部１５３ｃに記憶する。
【００８２】
続いて、通信制御部１５２ａは、送受信処理を開始してから設定時間が経過したか判別する（ステップＳ１２４）。このとき、設定時間は、装置設計者が照明装置１０の開発段階で定めたものであってもよい。照明装置１０が製品出荷後に設定時間を設定可能に構成されているのであれば、設定時間は、ユーザが後から照明装置１０に設定したものであってもよい。設定時間は、例えば、１０秒〜３分である。勿論、設定時間は、１０秒より短くてもよいし、３分より長くてもよい。
【００８３】
設定時間が経過していない場合（ステップＳ１２４：Ｎｏ）、通信制御部１５２ａはＳ１２１に戻り、再び識別情報を送信する。このとき、送受信処理で他の照明装置１０の識別情報を受信した場合、すなわち、ステップＳ１２３で受信情報記憶部１５３ｃに受信情報を保存した場合、通信制御部１５２ａは、自身の識別情報とともに、受信した識別情報を送信する（ステップＳ１２１）。受信情報記憶部１５３ｃに複数の識別情報が保存されているのであれば、通信制御部１５２ａは、それら複数の識別情報を送信する。識別情報にイベント情報が関連付けられている場合、通信制御部１５２ａは、識別情報とともにイベント情報も送信してもよい。
【００８４】
以降、通信制御部１５２ａは、設定時間が経過するまで、ステップＳ１２１〜ステップＳ１２４の処理を繰り返す。設定時間が経過した場合（ステップＳ１２４：Ｙｅｓ）、通信制御部１５２ａは、送受信処理を終了する。
【００８５】
図１６のフローに戻り、制御部２３のリスト生成部１５２ｂは、送受信処理で受信情報記憶部１５３ｃに保存された受信情報に基づいて、同一グループに属する照明装置１０のリストを生成する（ステップＳ１３）。例えば、リスト生成部１５２ｂは、送受信処理を実行している間に受信した識別情報を単純にリストしてもよい。また、識別情報に加えてイベント情報も受信したのであれば、リスト生成部１５２ｂは、送受信処理の開始条件に対応するイベント情報が関連付けられている識別情報をリストしてもよい。
【００８６】
例えば、送受信処理の開始条件が“照明装置１０への外部電源２の投入”であり、受信情報記憶部１５３ｃに図１３に示すような受信情報が格納されているとする。上述したように、受信情報に含まれるイベント種別“００１”は、照明装置１０に外部電源２が投入されたことを示す。本実施形態の場合、同一の分岐ブレーカーに接続された照明装置１０が同一グループの照明装置１０である。ユーザによって分岐ブレーカーがＯＮされた場合、同一グループの複数の照明装置１０が一斉に外部電源２投入のイベントが発生することになる。リスト生成部１５２ｂは、受信情報記憶部１５３ｃに保存されている複数の識別情報の中から、イベント種別が“００１”となっているイベント情報に関連付けられている識別情報を抽出する。
【００８７】
なお、リスト生成部１５２ｂは、より正確を期すため、イベント情報に含まれるイベントの発生時刻に基づいて、尤もらしい識別情報を選択してもよい。例えば、イベント種別が“００１”となっていても、イベントの発生時刻が基準時刻から一定時間離れているイベントは、今回の分岐ブレーカーがＯＮに連動してイベントが発生したイベントでない可能性が高い。基準時刻は、該当のイベントの発生タイミングを判別する基準となる時刻である。基準時刻は、例えば、現在時刻、送受信処理の開始時刻、或いは、自身の外部電源２投入のイベントが発生した時刻である。リスト生成部１５２ｂは、イベント種別が“００１”となっていても、イベントの発生時刻が基準時刻から一定時間離れている識別情報は、抽出した識別情報の中から取り除く。すなわち、リスト生成部１５２ｂは、イベント種別が“００１”となっている識別情報のうち、イベントの発生時刻が基準時刻から一定時間内の識別情報を該当の識別情報として抽出する。
【００８８】
リスト生成部１５２ｂは、抽出した識別情報を同一のグループに属する照明装置１０の識別情報としてリストする。リスト生成部１５２ｂは、生成したリストを、例えば図１４に示すように、リスト記憶部１５３ｄに保存する。
【００８９】
リストの保存が完了したら、制御部２３はステップＳ１１に戻り、ステップＳ１１〜ステップＳ１３の処理を繰り返す。なお、ステップＳ１１の送受信処理の開始条件は、初期設定の際とそれ以外とで異なる条件であってもよい。初期設定とは、照明装置１０を構造物或いは移動体へ設置する際に実行される設定のことである。初期設定にはリスト生成処理の実行も含まれる。例えば、通信制御部１５２ａは、初期設定時に実行する送受信処理については、照明装置１０に外部電源２が投入された場合に開始してもよい。そして、通信制御部１５２ａは、初期設定後、新たにリストを作成する際の送受信処理については、ユーザから予め設定された信号（例えば、グループ設定モードへの移行信号）の入力があった後、さらに照明装置１０に外部電源２の投入があった場合に開始してもよい。信号の入力はモジュール２０を介して行われてもよい。勿論、送受信処理の開始条件は、初期設定の際とそれ以外とで同じであってもよい。
【００９０】
次に、リスト送信処理について説明する。照明装置１０に電源が投入されると、照明装置１０の制御部１５２はリスト送信処理を開始する。図１８は、リスト送信処理のフローチャートである。リスト送信処理は、無線通信を介して、リスト記憶部１５３ｄに保存されているリストをユーザの端末に送信する処理である。以下、図１８を参照しながらリスト送信処理を説明する。
【００９１】
制御部１５２のリスト送信部１５２ｃは、予め設定された送信条件を満たしているか判別する（ステップＳ２１）。送信条件は、例えば、ユーザ端末からの予め決められた信号の受信であってもよい。信号の入力はモジュール２０を介して行われてもよい。また、送信条件は、予め決められた情報を含むビーコン信号を発する端末が、照明装置１０の無線通信可能範囲内に入ったことを照明装置１０が検知したか否かであってもよい。信号の検知はモジュール２０を介して行われてもよい。このとき、信号の検知は照明装置１０側の制御部１５２（例えば、リスト送信部１５２ｃ）が行ってもよいし、モジュール２０側の制御部２３が行ってもよい。
【００９２】
送信条件を満たしていない場合（ステップＳ２１：Ｎｏ）、リスト送信部１５２ｃは、送信条件を満たすまでステップＳ２１を繰り返す。送信条件を満たしている場合（ステップＳ２１：Ｙｅｓ）、リスト送信部１５２ｃは、無線通信を使ってユーザ端末に対してリストを送信する（ステップＳ２２）。送信が完了したら、リスト送信部１５２ｃはステップＳ２１に戻り、ステップＳ２１〜ステップＳ２２の処理を繰り返す。
【００９３】
本実施形態によれば、照明システム１は、複数の照明装置１０を備えている。そして、複数の照明装置１０は、それぞれ、ブレーカーＯＮにより外部電源２が投入された場合に、無線通信による他の照明装置１０からの識別情報の受信と、無線通信による他の照明装置１０への識別情報の送信と、を設定時間、繰り返している。そして、照明装置１０は、他の照明装置１０から受信した識別情報に基づいて、識別情報のリストを生成している。ユーザは、ブレーカーをＯＮするだけで照明装置１０のグループ化を完了できる。照明装置１０のグループ化は容易である。
【００９４】
また、複数の照明装置１０は、それぞれ、他の照明装置１０の識別情報を受信した場合には、受信した識別情報の送信を自身の識別情報の送信とともに繰り返している。これにより、例え同一グループに属する２つの照明装置１０が、距離或いは遮蔽物等の原因で、直接通信できなかったとしても、同一グループに属する他の照明装置を介して、それら２つの照明装置１０は識別情報の交換が可能となる。よって、同一グループのリストの正確性は高い。
【００９５】
また、複数の照明装置１０は、それぞれ、予め設定された送信条件を満たした場合に、無線通信によりユーザ端末にリストを送信するリスト送信部１５２ｃを備えている。ユーザは無線通信によりリストを取得できる。よって、リストの取得は容易である。
【００９６】
また、複数の照明装置１０は、それぞれ、初期設定時に実行する送受信処理については、外部電源２が投入された場合に開始し、その後の送受信処理については、ユーザから信号の入力があった後、さらに外部電源２の投入があった場合に開始している。照明装置１０は、初期設定のブレーカーのＯＮ／ＯＦＦ、停電等により、いちいち送受信処理が開始されるのを防ぐことができる。
【００９７】
［変形例］
上述の実施形態は一例を示したものであり、種々の変更及び応用が可能である。
【００９８】
例えば、上述の実施形態では、照明装置１０は、非常用の照明装置（非常灯）であるものとしたが、照明装置１０は非常灯に限定されない。照明装置１０は、例えば、誘導用の照明装置であってもよい。誘導用の照明装置は、避難経路等への誘導のために常時点灯する照明装置である。また、照明装置１０は、非常灯及び誘導灯に限定されず、例えば、一般用途の照明装置（例えば、室内灯）であってもよい。なお、上述の実施形態では、非常灯は、外部電源２からの電力供給が停止した場合（非常時）に点灯するものとしたが、外部電源２から電力供給がなされている場合（通常時）にも点灯してもよい。
【００９９】
また、上述の実施形態では電池１４は二次電池であるものとしたが、電池１４は二次電池に限られない。電池１４はリチウム電池等の一次電池であってもよい。電池１４は、マンガン乾電池、アルカリ乾電池等の乾電池であってもよい。
【０１００】
また、無線通信機能はモジュール２０が有するものとしたが、照明装置１０が無線通信機能を有する通信部を内蔵していてもよい。例えば、通信部は、モジュール２０が備える通信部２１と同じ構成であってもよい。このとき、通信制御部１５２ａは、照明装置１０が内蔵する通信部を介して、他の照明装置１０と無線通信してもよい。
【０１０１】
また、上述の実施形態では、モジュール２０は、無線通信機能（通信部２１）とセンサ機能（センサ２２）の双方を持っているものとしたが、モジュール２０は、必ずしも無線通信機能とセンサ機能の双方を持っている必要はない。モジュール２０は、無線通信機能とセンサ機能のいずれか一方のみ有していてもよい。センサ機能を有していなくても、無線通信機能を有しているのであれば、モジュール２０は、無線通信モジュールと呼ぶことができる。また、無線通信機能を有していなくても、センサ機能を有しているのであれば、モジュール２０は、センサモジュールと呼ぶことができる。
【０１０２】
また、上述の実施形態（ステップＳ２１）では、リスト送信部１５２ｃがリストを送信するための送信条件は、ユーザから信号の入力或いはビーコン信号の検知であるものとした。しかし、送信条件はこれらの条件に限定されない。例えば、送信条件は、モジュール２０のセンサ２２が人を検知したタイミングであってもよい。
【０１０３】
また、上述の実施形態では、同一の分岐ブレーカーに接続された複数の照明装置１０が同一グループの照明装置１０であることを前提としたが、同一グループの照明装置１０はこの例に限定されない。例えば、同一グループの照明装置１０は、同一の主幹ブレーカー３１（すなわち、同一の配電盤３０）に接続された複数の照明装置１０であってもよい。すなわち、グループ化の単位は分岐ブレーカー単位ではなく、配電盤単位であってもよい。リスト生成部１５２ｂは、グループ化した照明装置１０を、さらに、図１２に示す“種類”別、或いは、“メーカー”別にグループ化してリストしてもよい。リストするグループの分け方は任意である。
【０１０４】
また、上述の実施形態（ステップＳ１１）では、通信制御部１５２ａは、照明装置１０に外部電源２が投入された場合に、送受信処理を開始するものとした。しかし、送受信処理の開始条件はこの例に限定されない。例えば、通信制御部１５２ａは、ブレーカーのＯＦＦ等により、外部電源２からの電力供給が遮断された場合に、送受信処理を開始してもよい。照明装置１０は、外部電源２からの電力供給が遮断されたとしても、電池１４を備えているので、送受信処理を実行可能である。
【０１０５】
このとき、図１１に示されるイベント情報に含まれるイベントの発生時刻は、外部電源２からの電力供給が遮断された時刻であってもよい。そして、リスト生成部１５２ｂは、ステップＳ１３において、イベント種別が“外部電源２からの電力供給が遮断”となっているイベントに基づいてリストを生成してもよい。
【０１０６】
また、通信制御部１５２ａは、ブレーカーのＯＮ等により、照明装置１０に外部電源２が投入された後、予め設定された時間内に、ブレーカーのＯＦＦ等により、外部電源２からの電力供給が遮断された場合に、送受信処理を開始してもよい。このとき、“予め設定された時間”は、装置設計者が照明装置１０の開発段階で定めた時間であってもよい。時間は、例えば、１０秒〜１分である。勿論、設定時間は、１０秒より短くてもよいし、１分より長くてもよい。外部電源２の投入若しくは遮断の度に、送受信処理が実行されるのを防ぐことができる。
【０１０７】
また、通信制御部１５２ａは、ブレーカーのＯＦＦ等により、外部電源２からの電力供給が遮断された後、予め設定された時間内に、ブレーカーのＯＮ等により、照明装置１０に外部電源２が投入された場合に、送受信処理を開始してもよい。このとき、“予め設定された時間”は、装置設計者が照明装置１０の開発段階で定めた時間であってもよい。時間は、例えば、１０秒〜１分である。勿論、設定時間は、１０秒より短くてもよいし、１分より長くてもよい。外部電源２の投入若しくは遮断の度に、送受信処理が実行されるのを防ぐことができる。
【０１０８】
また、上述の実施形態（ステップＳ１１）では、通信制御部１５２ａは、初期設定後の新たにリストを作成する際の送受信処理については、ユーザから予め設定された信号の入力があった後、さらに照明装置１０に外部電源２の投入があった場合に開始するものとした。しかし、初期設定後の送受信処理の開始条件はこの例に限定されない。例えば、通信制御部１５２ａは、初期設定後については、外部電源２からの電力供給が遮断された場合に、送受信処理を開始してもよい。また、通信制御部１５２ａは、初期設定後については、照明装置１０に外部電源２が投入された後、予め設定された時間内に、外部電源２からの電力供給が遮断された場合に、送受信処理を開始してもよい。また、通信制御部１５２ａは、初期設定後については、ブレーカーのＯＦＦ等により、外部電源２から照明装置１０への電力供給が遮断された後、予め設定された時間内に、ブレーカーのＯＮ等により照明装置１０に外部電源２が投入された場合に、送受信処理を開始してもよい。開始条件が初期設定時と変わっているのであれば、初期設定後の送受信処理の開始条件は他のさまざまな条件を採用可能である。
【０１０９】
なお、送受信処理の開始条件は上述した例に限定されない。例えば、通信制御部１５２ａは、単純に、ユーザから信号が入力された場合に、送受信処理を開始してもよい。
【０１１０】
また、上述の実施形態では、制御部１５２が、リスト生成処理、送受信処理、リスト生成処理を行ったが、これらの処理はモジュール２０の制御部２３が行ってもよい。このとき、制御部２３は、機能ブロックとして、通信制御部、リスト生成部、リスト送信部を有していてもよい。これら機能ブロックの構成は、制御部１５２の通信制御部１５２ａ、リスト生成部１５２ｂ、リスト送信部１５２ｃと同じであってもよい。
【０１１１】
また、モジュール２０の記憶部２４は、イベント情報記憶部、識別情報記憶部、受信情報記憶部、リスト記憶部を有していてもよい。これらの構成は、記憶部１５３のイベント情報記憶部１５３ａ、識別情報記憶部１５３ｂ、受信情報記憶部１５３ｃ、リスト記憶部１５３ｄと同じであってもよい。制御部１５２がリスト生成処理、送受信処理、リスト生成処理を実行する場合、制御部１５２は、これらの処理で使用される情報を、記憶部１５３に保存してもよいし、制御部２３を介して記憶部２４に保存してもよい。また、モジュール２０の制御部２３がリスト生成処理、送受信処理、リスト生成処理を実行する場合、制御部２３は、これらの処理で使用される情報を、記憶部２４に保存してもよいし、制御部１５２を介して記憶部１５３に保存してもよい。
【０１１２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【０１１３】
１…照明システム
１０…照明装置
１１…接続部
１２…筐体
１３…光源
１３１…反射板
１４…電池
１５…点灯ユニット
１５１…電源回路
１５１ａ、２２…センサ
１５２、２３…制御部
１５２ａ…通信制御部
１５２ｂ…リスト生成部
１５２ｃ…リスト送信部
１５３、２４…記憶部
１５３ａ…イベント情報記憶部
１５３ｂ…識別情報記憶部
１５３ｃ…受信情報記憶部
１５３ｄ…リスト記憶部
１５４…操作部
１５５…出力部
１５５ａ、１５５ｂ…ランプ
１５６、２５…接続端子
１６…蓋
１６１、１６２、１６３…貫通孔
１７１、１７２…取付けばね
２０…モジュール
２１…通信部
３０…配電盤
３１…主幹ブレーカー
３２１〜３２Ｍ…分岐ブレーカー
２…外部電源
【図１】
2018163864.tif 000003
【図２】
2018163864.tif 000004
【図３】
2018163864.tif 000005
【図４】
2018163864.tif 000006
【図５】
2018163864.tif 000007
【図６】
2018163864.tif 000008
【図７】
2018163864.tif 000009
【図８】
2018163864.tif 000010
【図９】
2018163864.tif 000011
【図１０】
2018163864.tif 000012
【図１１】
2018163864.tif 000013
【図１２】
2018163864.tif 000014
【図１３】
2018163864.tif 000015
【図１４】
2018163864.tif 000016
【図１５】
2018163864.tif 000017
【図１６】
2018163864.tif 000018
【図１７】
2018163864.tif 000019
【図１８】
2018163864.tif 000020